(57)【要約】【課題】テアライン部の残肉精度向上の要求に応えることができる上記要求を満たす自動車内装品表皮の真空吸引熱加工法を提供すること。【解決手段】エアバッグ用の蓋体部を備えた自動車内装品における表皮の熱成形方法。熱成形に際して蓋体部の表皮テアラインを同時的に形成する。熱成形は、雄・雌両型３４、３６を用いたプレス成形により予備賦形した後、型締めと同時的に真空成形により最終賦形をする方法である。真空成形を雌型３６で行うとともに、真空成形の真空吸引時に、雄型３４に付設されたテアライン形成刃体４０を突出・後退させることにより表皮素材裏面に表皮テアライン部３３を形成する。その際、刃体４０の刃部先端４２ａと雌形賦形面３６ａとの距離を変位センサ４８で検出しつつ、刃体４０を突出させる。【選択図】図６
2004106592.tif 000002
【特許請求の範囲】
【請求項１】
エアバッグ飛び出しのための蓋体部を備えた自動車内装品における表皮の真空吸引熱加工法であって、
該真空吸引熱加工に際して前記蓋体部の表皮テアライン部を同時的に形成する方法において、
前記真空吸引熱加工は、雄・雌両型を用いたプレス成形により予備賦形した後、型締めと同時的に真空吸引により前記表皮の最終賦形をし、
前記最終賦形を雌型で行うとともに、前記真空吸引時に、前記雌型に対面させて前記雄型に付設されたテアライン形成刃体（以下「刃体」という。）を前進・後退させることにより表皮素材裏面に前記表皮テアライン部を形成するとともに、
前記刃体の刃部先端と雌型賦形面からの距離を変位センサで検出しつつ、前記刃体の突出を行うこと、
を特徴とする自動車内装品表皮の真空吸引熱加工法。
【請求項２】
前記変位センサが刃体と一体化とされていることを特徴とする請求項１記載の自動車内装品表皮の真空吸引熱加工法。
【請求項３】
前記刃体が熱刃であり、前記変位センサが前記刃体と一体化されて前記刃体と同一温度に温調可能とされていることを特徴とする請求項２記載の自動車内装品表皮の真空吸引熱加工法。
【請求項４】
該刃体の前進を、所定位置まで直線的移動により行い、その後、設定微小距離の前進移動・停止を繰り返しである段階的移動により行うことを特徴とする請求項１、２又は３記載の自動車内装品表皮の真空吸引熱加工法。
【請求項５】
前記刃体の前進を、設定微小距離の前進移動・停止の繰り返しである段階的移動により行うことを特徴とする請求項１、２又は３記載の自動車内装品表皮の真空吸引熱加工法。
【請求項６】
エアバッグ飛び出しのための蓋体部を備えた自動車内装品における表皮の空気差圧熱加工法であって、
該空気差圧熱加工に際して、前記蓋体部の表皮テアライン部を同時的に形成する方法において、
前記空気差圧熱加工の空気差圧発生時に、前記空気差圧熱加工に使用する賦形型に対面させて配設されたテアライン形成刃体（以下「刃体」という。）を前進・後退させることにより表皮素材裏面に前記表皮テアライン部を形成し、
刃体の刃部先端と賦形型賦形面からの距離を変位センサで検出しつつ、前記刃体の突出を行うこと、
を特徴とする自動車内装品表皮の空気差圧熱加工法。
【発明の詳細な説明】
【０００１】
【発明の属する技術分野】
本発明は、エアバッグ飛び出しのための蓋体部を備えた自動車内装品に使用する表皮の真空吸引熱加工法に関する。
【０００２】
ここで、真空吸引熱加工法とは、熱可塑性シートを加熱軟化させた状態で最終賦形を、真空吸引により行う加工法をいう。
【０００３】
以下、本明細書においては、主としてエアバッグ用蓋体部付きのインストルメントパネル（以下「インパネ」と記す。）の表皮（レリーフレス／インビジブル仕様）を例に採り説明するが、その他、サイドドア、ピラー、フロント・バックシート用エアバッグ用蓋体部の表皮等にも適応が可能である。
【０００４】
【背景技術】
自動車においては、昨今、エアバッグ装置が標準装備されるようになってきている。図１に示すようなインパネ１２における、エアバッグ装置Ｍの組み付け部位（図１の２−２線部位）におけるエアバッグ蓋体部１４の構成として、例えば図２に示すような構成のものがあった。
【０００５】
すなわち、外側から表皮１６／発泡層（クッション層）１８／基体２０を備え、基体蓋体部２２は、裏面側に左・右ヒンジ溝２４、２６及び基体テアライン部（テアライン溝）２８を備えた構成であり、テアライン溝２８及びヒンジ溝２４、２６で区画されている。基体蓋体部（通常、軟質プラスチック製）２２と基体本体部（通常、硬質プラスチック製）２３とは射出成形により融着一体化されており、基体蓋体部２２は、該ヒンジ溝２４、２６をヒンジ中心として、上部へ回動可能な構成とされている。また表皮１６は、エアバッグ蓋体部１４を含めたインパネ全体の表皮として射出成形により融着一体形成されており、レリーフライン（補助ライン）が表面に形成されていた。
【０００６】
通常、エアバッグ本体３０は、エアバッグ装置Ｍが作動して自動車内装品に形成されたエアバッグ用蓋体部テアラインＴを破断することにより車室内乗員側へ開いて膨出する。
【０００７】
上記インパネ１２におけるテアラインＴの破断は、下記の如く起こる。
【０００８】
まず、エアバッグ本体３０の膨張により、基体蓋体部２２が内部（下部）から押圧される。この際、基体蓋体部２２に形成された基体テアライン溝２８に応力が集中して、基体テアライン溝２８形成部位が破断後、クッション層１８においては基体テアライン溝２８底部との距離が最短の部位（最小断面部位）に応力が集中して、縦方向に亀裂が表皮テアライン部（レリーフライン）３２の先端部位に向かって伝播する。そして、該亀裂伝播が表皮１６の表皮テアライン部（レリーフライン）３２近くまで達すると、該表皮テアライン部３２は、表皮１６の他の部位に比べて脆弱であるため、テアライン部３２が迅速に破断される。即ち、テアライン部Ｔでの表皮１６の破断性（破断速度）を充分に確保できる。
【０００９】
このとき、表皮のテアライン部の形成方法としては、例えば、表皮用シートを加熱軟化させ、真空成形型（雄型）で最終賦形した状態で、真空成形の真空吸引時に、表皮に対面させて配設されたテアライン形成刃体（以下「刃体」という。）を前進（押圧）・後退させることにより表皮表面に前記表皮テアライン部を形成する方法が提案されている（例えば、特許文献１参照）。
【００１０】
他方、昨今、意匠性向上の見地からエアバッグ用蓋体部付き自動車内装品（特にインパネのエアバッグ蓋体部（リッド部）１４のレリーフラインレス化、いわゆるインパネ一体エアバッグ蓋体部のインビジブル化の要請が強くなりつつある。
【００１１】
このため、表皮を備えたエアバッグ用蓋体部付き自動車内装品において、エアバッグ本体展開時に該表皮が所定の位置、すなわちテアライン部位で破断するよう、該表皮裏面からレーザー加工等を施して、表皮のテアライン部位に開裂線（スリット）を形成する技術が知られている。（例えば、特許文献２参照）。
【００１２】
しかし、上記レーザー加工は設備投資費用、ランニングコスト等が高く、製品のコストアップにつながるという問題点を有していた。
【００１３】
本発明者らは、上記にかんがみて、エアバッグ用蓋体部付き自動車内装品の表皮を真空吸引熱加工（いわゆる真空成形等）するに際し、製品のコストアップを抑え、かつテアライン部（破断予定部）で確実に破断させることのできる表皮の真空吸引熱加工法を提供することを目的として、下記構成の下記構成の自動車内装品表皮の熱成形方法（真空吸引熱加工法）を先に提案した（特願２００１−２２８４８０：出願時未公開）。
【００１４】
「エアバッグ飛び出しのための蓋体部を備えた自動車内装品における表皮の熱成形方法であって、
該熱成形に際して前記蓋体部の表皮テアライン部を同時的に形成する方法において、
前記熱成形は、雄・雌両型を用いたプレス成形により予備賦形した後、型締めと同時的に真空成形により最終賦形をする方法であり、
前記真空成形を雌型で行うとともに、前記真空成形の真空吸引時に、
前記雄型に埋設されたテアライン形成刃体を突出・後退させることにより表皮素材裏面に前記表皮テアライン部を形成することを特徴とする。」
当該構成により、下記のような作用／効果を奏する。
【００１５】
プレス成形により予備賦形後、表面側賦形面（雌型賦形面）に真空引きで表皮素材を密着させて賦形するため、真空成形のみで賦形する肉厚バラツキ及び表面側（意匠賦形面）再現性の悪さを解決できる。
【００１６】
そして、雌型で真空成形（真空吸引）するため、雄型で真空成形する場合に比して、成形完了後の離型性（型離れ）が良好で成形生産性が向上する。
【００１７】
特に、自動車内装品表皮は薄いため（せいぜい２ｍｍ以下、通常、０．５〜１．０ｍｍ）、破断予定溝部（破断予定脆弱部）が形成された状態では離型が困難であると、離型時に表皮破断のおそれがある。
【００１８】
そして、表皮素材がまだ熱変形可能な温度である真空成形時（真空吸引時）にテアライン形成刃体を突出させて表皮テアライン部を形成するため、押圧力が小さくてすみ、たとえ、一時的に表面側に表皮テアライン部形成隆起が形成されたとしても、真空吸引により平準化（平滑化）されて、表皮テアライン部加工跡が形成されることはない。
【００１９】
そして、上記真空吸引熱加工法において、エアバッグ展開性能の向上の見地から、テアライン部の溝深さバラツキ、すなわち、テアライン部の残肉精度の向上が要求されるようになってきている。
【００２０】
なお、本発明の発明性に影響を与えるものではないが、真空成形と同時的に表皮テアライン部を形成する先行技術文献情報としては、特許文献１、３、４がある。
【００２１】
【特許文献１】
特開２０００−１５９０４７公報
【特許文献２】
特開２０００−２８０８４７公報
【特許文献３】
特開平４−１２６２２２号公報
【特許文献４】
特開平９−２１８９号公報
【００２２】
【発明の開示】
本発明の目的は、テアライン部の残肉精度向上の要求に応えることができる上記要求を満たす自動車内装品表皮の真空吸引熱加工法を提供することにある。
【００２３】
本発明者らは、上記課題を解決するために、鋭意開発に努力をした結果、下記構成の自動車内装品表皮の真空吸引熱加工法に想到した。
エアバッグ飛び出しのための蓋体部を備えた自動車内装品における表皮の真空吸引熱加工法であって、
該真空吸引熱加工に際して前記蓋体部の表皮テアライン部を同時的に形成する方法において、
真空吸引熱加工は、雄・雌両型を用いたプレス成形により予備賦形した後、型締めと同時的に真空吸引により表皮の最終賦形をし、
最終賦形を雌型で行うとともに、真空吸引時に、雌型に対面させて配設されたテアライン形成刃体（以下「刃体」という。）を前進・後退させることにより表皮素材裏面に表皮テアライン部を形成するとともに、
刃体の刃部先端と雌型賦形面からの距離を変位センサで検出しつつ、刃体の突出を行うこと、を特徴とする。
【００２４】
表皮の表面側を形成する雌型の賦形面と刃部先端の距離を基準として変位センサで検出して、刃体の前進（押し込み）を行うため、表皮シートの厚みバラツキ、ないし、雄型と雌型との距離バラツキ・型締めバラツキに関係なく、表皮テアライン部の溝残肉の精度が向上する。
【００２５】
上記構成において、通常、変位センサは刃体と一体化されている構成とする。雌型等に刃体以外の部位に変位センサを組み付ける構成に比して、構成が簡単となり、下記構成の温調が容易となり、さらには、刃体の両側に変位センサを配設して刃体の傾きを補正することも容易となる。
【００２６】
また、刃体を熱刃とするときには、変位センサを刃体と一体化しての刃体の温度と同一に温調可能することが望ましい。後述の如く、刃体の温度が変化しても、温度補正が不要となる。
【００２７】
刃体の前進を、設定微小距離の移動・停止の繰り返しである段階的なものとすることが、残肉精度の向上がより期待できる。直線的制御に比して、慣性移動によるバラツキを考慮する必要がないためである。
【００２８】
上記において、刃体の前進を、所定位置まで直線的移動により行い、その後の移動を、設定微小距離の前進移動・停止の繰り返しである段階的なものとすることが望ましい。溝形成の加工時間の短縮が可能となるためである。
【００２９】
なお、本発明の自動車内装品表皮の真空吸引熱加工法にかかる技術的思想は、上記のように雄型・雌型で予備賦形したあと、雌型で真空吸引により最終賦形する場合ばかりでなく、前述の特許文献１に記載の技術、さらには、真空吸引（空気差圧の一種）による賦形ばかりでなく、圧縮空気を利用する吹き込み成形等で表皮を空気差圧熱加工する場合にも本発明は、適用できるものであり、その場合の構成は、下記の如くになる。
【００３０】
エアバッグ飛び出しのための蓋体部を備えた自動車内装品における表皮の空気差圧熱加工法であって、
該空気差圧熱加工に際して、蓋体部の表皮テアライン部を同時的に形成する方法において、
空気差圧熱加工の空気差圧発生時に、空気差圧熱加工に使用する賦形型に対面させて配設されたテアライン形成刃体を前進・後退させることにより表皮素材裏面に表皮テアライン部を形成し、
刃体の刃部先端と賦形型賦形面からの距離を変位センサで検出しつつ、テアライン形成刃体の突出を行うこと、を特徴とする。
【００３１】
【発明を実施するための最良の形態】
次に、本発明の一実施形態について、エアバッグ飛び出しのための蓋体部を備えた自動車内装品として、前述同様、図１〜２に示すようなインパネ１２を例に採り説明をする。
【００３２】
そして、インパネ１２における表皮１６は、レリーフラインレス、いわゆる蓋体部（リッド部）インビジブルタイプに使用するものであって、表皮裏面に表皮テアライン部（溝）が形成されている（図２（Ｂ）参照）。
【００３３】
このとき、表皮テアライン部（溝）３３の深さｈは、表皮肉厚ｔを０．７ｍｍとしたとき、ｈ＝０．２〜０．５ｍｍ（残肉厚α＝０．５〜０．２ｍｍ）とする。ｈが小さすぎると、破断迅速性（エアバッグ展開性能）を確保し難く、ｈが大きすぎると、表皮テアライン部３３の加工跡が意匠面（表面）に顕現し易い。即ち、テアライン溝が表面に透けて見えるおそれがある。
【００３４】
そして、上記表皮は表皮素材（表皮シート）を真空吸引熱加工して調製する。
【００３５】
ここで、表皮素材（ワーク）は、オレフィン系、エステル系、アミド系、スチレン系、ウレタン系等の熱可塑性エラストマー（ＴＰＥ）材料を用いてカレンダー加工や押し出し成形により製造したシート材を適宜寸法に裁断して調製する。上記ＴＰＥのうち、ポリオレフィン系のものが、硬さの選択範囲が広くて望ましい。
【００３６】
そして、真空吸引熱加工は、図３に示す如く、雄・雌両型３４、３６を用いたプレス成形によりシート材Ｓを予備賦形した後、型締めと同時的に真空吸引により最終賦形をする方法により行う。
【００３７】
ここで、雌型３６には、その意匠（表面）賦形面には、真空賦形（真空吸引）するための真空吸引孔３８が多数形成されている。雌型３６で真空賦形するため、真空賦形された表皮素材（真空吸引熱加工品）Ｓの雌型３６からの離型が容易となる。また、真空賦形により意匠面賦形するため、意匠面の再現性が良好となる。なお、真空吸引孔３８が大きい場合は、真空吸引孔跡が表皮表面（意匠面）に形成されるおそれがあるため、通常、雌型賦形面３６ａはエンボス加工面（しぼ付け加工面）とする。
【００３８】
また、これらの真空吸引細孔３８の孔径は１〜１０μｍであり、孔ピッチは、５〜１５ｍｍ、望ましくは１０ｍｍ前後とする。ここで、孔径が大きすぎると、表皮意匠面に吸引孔跡が出易く（特に表皮意匠面を、エンボス面としない場合）、逆に孔径が小さ過ぎると吸引抵抗が大きくて微細な賦形面の再生が困難となる。孔ピッチが小さ過ぎると、金型の加工工数に嵩み、逆に孔ピッチが大きすぎると吸引賦形力を充分に得難く、孔径が小さ過ぎる場合と同様、微細な賦形面の再生が困難となる。
【００３９】
そして、雄型３４には、テアライン形成刃体（テアライン形成突条：以下「刃体」）４０が突出・後退可能に付設（埋設）されている。具体的には、下記の如くである。
【００４０】
具体的には、刃体４０は、図４に示す如く、変形Ｈ字形の突条（刃部）４２を備えた板状体で、刃体保持ブロック体４４に結合されて雄型（プラグ型）３４に形成された筒状凹部４６に摺動可能に保持されている。
【００４１】
ここで刃部は、通常、連続体４２（図５Ａ）、不連続体４２Ａ（図５Ｂ）又は連続体４２Ｂ／不連続体４３混成（図５Ｃ）とする。このときの刃部４２、４２Ａ、４２Ｂの刃先角度は、通常、７〜３０°の範囲で適宜選定する。また、不連続状とするときは、ａ：ｂ＝５：０．５〜０．５：０．５とする。なお、図５Ｃに示す不連続体４３は、φ１ｍｍ前後の針体を連続的に並べて形成したものである。
【００４２】
本実施形態では、刃体４０には、図５〜６に示す如く、中央テアライン形成刃部４２ａを挟んで一対の第一・第二変位センサ４８、４９が付設されている。ここで、一対の変位センサ４８、４９を設けたのは、第一変位センサ４８と第二変位センサ４９とのデータを比較し、刃体４０に傾き等の異常が発生したとき、加工作業を停止するためである。なお，図例中、５０は案内ピンである。
【００４３】
変位センサ４８、４９は、ステップモータ４５で刃体保持ブロック４４を介して、刃体４０（刃部４２）の前進させるときの移動距離を制御するためである。制御機構は下記の如くである。
【００４４】
変位センサ４８は、雌型３６の賦形面３６ａからの距離を検出可能となっている。そして、当該賦形面３６ａからの距離信号を、演算部で刃部先端４２ａの賦形面３６ａからの距離に制御部（図示せず）で比較演算してステップモータ４５に入力するようになっている。
【００４５】
そして、刃体保持ブロック４４は、ステップモータ４５と、カップリングをよび回転運動を直線運動に変換するボール螺子（図示せず）等を介して結合されて、テアライン形成刃体４０の刃部４２を雄型３４の押圧面（賦形面）３４ａから突出・後退可能とされている。ここで、駆動手段としては、ステップモータ４５に限らず、サーボモータ等の微小移動可能な駆動手段でもよい。
【００４６】
また、刃体保持ブロック４４には、表面側に温度センサ５０が取付けられるとともに、その内側に、電熱ヒータ（シーズドヒータ）５２が埋設されている。
【００４７】
温度センサ５０は、刃部４２の温度を測定してその検知信号を、電熱ヒータ５２に入力するようになっている。ここで、刃部４２の温度は、表皮素材の裏面側溶融温度より若干に高くなるように電熱ヒータ５２で局部加熱できるようになっている。ここで、変位センサ４８は、刃体保持ブロック４４に保持されているため、刃部４２と同様に昇温・降温するため、刃部４２と変位センサ４８との温度補正を行う必要がない。その理由は下記の如くである。
【００４８】
図７に示す如く、刃先先端４２ｂ／雌型賦形面３６ａ間距離と、変位センサ上面４８ａ／雌型賦形面３６ａ間距離とは異なっている。
【００４９】
実際には、刃先先端４２ｂ／雌型賦形面３６ａ間距離を測定したいのであるが、それができないので、相対的に変位センサ上面４８ａ／雌型賦形面３６ａ間距離で代用している。
【００５０】
本来は、刃先先端４２ｂ／雌型賦形面３６ａ間距離と、変位センサ上面４８ａ／雌型賦形面３６ａ間距離の差を測定して、その値を補正値として計算して制御する必要があるが、刃先先端４２ｂ、雌型賦形面３６ａの何れも曲面であり、距離の差を求めるのが困難である。
【００５１】
そこで簡易的に、先ず、刃先先端４２ｂ／雌型賦形面３６ａ間距離が、目標値となるように移動させた後、そのときに変位センサ４８の値を読み取り、それを目標値に設定する方法を採っている。
【００５２】
この方法で代用できる理由は、下記に示すように、この加工方法が、目標値１箇所のみで管理しているためと、変位センサ４８が刃部４２と一体になっており、一定温度に保持されているためである。
【００５３】
このため、刃部４２の温度を変更した場合は、同様の方法で変位センサ４８の値を読み取り、目標値を変更するだけで可能である。
【００５４】
また同様に、変位センサ４８を交換した場合なども、変位センサ４８の取付け位置を、交換前と同位置に合わせる（０．０１ｍｍ以下の精度）必要もなく（０．０５ｍｍ以下の精度）、同様に容易に校正することができる。
【００５５】
変位センサ４８としては，例えば、渦電流を用いたものを好適に使用でき、具体的には、キーエンス社の「ＳＨ−８１６」（検出ヘッド）、「ＡＳ−４２１−ＳＯ」（コントローラ）を挙げることができる。
【００５６】
上記温調温度は、例えば表皮素材がＴＰＯ系の場合、溶融温度を１７０℃としたとき、それより若干（１０〜２０℃程度）高い１８０〜２００℃とする。
【００５７】
次に、上記構成の雄・雌両型を使用しての表皮の真空吸引熱加工する方法について説明をする。
【００５８】
まず、表皮素材である略矩形のシート材Ｓを矩形チャック（クランプ）５４で四方（全周）から挟んで（クランプして）、熱変形可能な温度１６０℃前後にシート材ヒータ５６で加熱する。
【００５９】
続いて、クランプ５４で挟んだまま雌型３６の直下に移動させ、続いて、雌型３６を下降させると同時に、雄型３４も上昇させる。このときの下降・上昇速度は、１０００〜３０００ｍｍ／ｍｉｎとする。
【００６０】
そして、型締め直前（通常、１〜２秒前）となった時点で、即ち予備賦形させた時点で、真空吸引を開始すると同時に、電熱ヒータ５２を通電して刃部４２を局部加熱させて１８０〜２３０℃とするとともに、変位センサ４８（４９）から入力する移動距離信号を比較演算部（演算回路）を介してステップモータ４５に出力してステップモータ４５を駆動させる。すると、ステップモータ４５の駆動によりブロック体４４が前進する。
【００６１】
図８を参照にして、制御の具体的一例を説明する。
【００６２】
図例においては、刃部（熱刃）先端４２ｂと雌型賦形面３６ａとの距離（表皮残肉厚さ）の目標設定値が０．４５ｍｍ±０．０２５ｍｍとする。
【００６３】
そして、刃部先端４２ｂが目標設定値にあるときの変位センサ４８の位置を制御完了時の位置（基準原点：０ｍｍ）とするように調整しておく。当然、変位センサ４８の上面４８ａと雌型賦形面３６ａとの距離は、シート材Ｓ厚みよりも大きい。シート材Ｓ（表皮裏面）と変位センサ４８との干渉を避けるためである。
【００６４】
そして、変位センサ４８の始点位置を、基準原点から所定距離後退したい位置とする（−３０ｍｍ）。
【００６５】
そして、刃体保持ブロック４４は、基準原点から所定距離後退した位置（−２ｍｍ）まで、直線的に高速前進（例えば、１ｃｍ／ｓ）させた後、０．０５ｍｍずつ、変位センサを確認しながら前進させ、基準原点（目標設定値）を超えた時点で保持ブロック４４の前進を終了する（すなわちテアライン溝加工を完了する。）本変位センサ４８（４９）は、前述の如く電圧検出のため、例えば、目標値が１．３０Ｖ（１．３０ｍｍ）に設定した場合、１．３０〜１．２５Ｖ（１．３０〜１．２５ｍｍ）の間で制御が完了することとなる。
【００６６】
例えば、図８（Ａ）は、型締め隙間が０．０１ｍｍの場合を示し、変位センサが１．３１ｍｍで目標に達していないため、後、０．０５ｍｍ前進する。従って、１．３１−０．０５＝１．２６ｍｍの位置で停止する。
【００６７】
また、図８（Ｂ）は、型締め隙間が、０．１０ｍｍの場合を示し、変位センサが、１．４０ｍｍで目標値を超えていないため、０．０５ｍｍ前進して、１．３５ｍｍとなるが、それでもなお、目標値を超えていないため、０．０５ｍｍ前進して、目標値の１．３０ｍｍに達して停止する。
【００６８】
このとき、前者と後者では、停止位置の差は、１．３０ｍｍと１．２６ｍｍとの差である０．０４ｍｍと、加工溝の残肉厚さが０．０５ｍｍ以内に制御された結果となる。
【００６９】
上記において、表皮素材Ｓが雌型３６の賦形面（意匠型面）３６ａに真空密着して良好に意匠型面が再現される。このときの真空吸引時間は１０〜１５ｓ（型締め完了後８〜１４ｓ）、刃部突出時間（テアライン形成時間）は５〜７ｓとする。
【００７０】
このとき、そして真空引き後、約２０〜３０秒の冷却時間（放置時間）をおいて、加真空吸引熱加工を完了する。即ち、型閉じ完了後、約３０〜４５秒で型開きとなる。
【００７１】
こうして真空吸引熱加工をした表皮は、離型した後、トリミングを行ってインパネ用表皮とする。
【００７２】
次に、上記表皮を用いてのインパネの成形方法を説明する。
【００７３】
上記第１実施形態で形成された表皮は、従来の表皮と同様、自動車内装品用の表皮として使用できる。
【００７４】
例えば、ＰＰＣ（カーボン充填ポリプロピレン）、ＰＰＧ（ガラス繊維充填ポリプロピレン）、ＰＣ（ポリカーボネート）／ＡＢＳ（アクリロニトリル・ブタジエン・スチレン三元共重合体）、ＰＣ（ポリカーボネート）、ＡＳＧ（ガラス繊維充填アリル）、ＡＢＳ（アクリロニトリル・ブタジエン・スチレン三元共重合体）、ＰＰＥ（ポリフェニレンエーテル）等のプラスチック材、アルミ、鋼板などの素材からなるインパネ基体２０、及びウレタン、ＰＰＦ、ＰＰビーズ発泡などの素材からなる発泡層（クッション層）１８とともに組み合わされてインパネ１２として使用できる（図２参照）。
【００７５】
インパネ１２は、慣用の方法により、例えば、下記の如く製造する。
【００７６】
まず、の如く製造した表皮１６（厚み約０．７ｍｍ）を、発泡層射出成形用金型の雌型にセットし、予め射出成形しておいたインパネ基体２０を同じく雌型にセットし、型閉じした後、発泡層材料を射出成形して、図２に示すような、基本的に基体２０、発泡層１８及び表皮１６からなるインパネ１２を成形する。なお、雄型としては、基体２０の成形用金型における雄型を、基体２０を離型せずに兼ねてもよい。
【００７７】
上記インパネ１２は、エアバッグ装置Ｍを組み付け、実車に装着して使用をする。
【００７８】
エアバッグ装置Ｍは、基本的には、バッグ本体３０と、該バッグ本体３０に膨張ガスを流入させるインフレータ６０と、それらの部材を一体化させるバッグケース６２とからなる。バッグケース６２は、インフレ―タ６０を保持し、バッグ本体３０内に膨張ガス流入をガイドするディフューザ缶６４が一体化されている。
【００７９】
そして、バッグケース６２の前・後壁６２ａ、６２ｂに、基体２０の裏面に形成された前・後取付け壁２１Ａ、２１Ｂを挿入係合させて、エアバッグアセンブリとし、図示しないブラケットを介して車体（実車）に装着する。
【００８０】
そして、車体に所定値以上の衝撃荷重が作用すると、バッグ蓋体部１４のテアラインＴが下記の如く破断して、蓋体部が開いてエアバッグが迅速に膨張展開する。
【００８１】
まず、バッグ本体３０が、膨張することにより基体２０を裏側（下面）から押圧する。この体、基体２０におけるＶ字形切り欠きにより形成された基体テアライン溝２８に応力が集中して、基体テアライン溝２８形成部位が破断した後、発泡層１８においては基体テアライン溝２８と表皮テアライン部３３とを結ぶ線（最短に距離）に応力が集中して、表皮テアライン部３３に向かう亀裂伝播が発生する。この亀裂伝播が表皮テアライン部３３に達成すると、該表皮テアライン部部３３は、表皮１６における他の部位に比して脆弱であるため応力が集中して、表皮１６の伸びが本来の破断伸びに達するはるか前に表皮１６が破断する（引き裂かれる）。したがって、表皮１６が伸びて、バッグ蓋体部の完全な展開状態が遅延するようなことがなく、バッグ展開特性が確保できる。即ち、バッグドア部インビジブルタイプのインパネにおける表皮を、レザー等による特別な後処理（後加工）によりしなくても製造できる。
【図面の簡単な説明】
【図１】本発明を適用する蓋体部付きインストルメントパネルを示す全体斜視図
【図２】図１における２−２線概略断面図
【図３】本発明における表皮の製造方法を示す概略工程図
【図４】図３における雄型（プラグ）の概略斜視図
【図５】図４におけるテアライン形成刃体の各態様を示す斜視図
【図６】本発明における変位センサを組み込んだ金型の概略断面図（表皮シート省略）
【図７】本発明における表皮テアライン部加工における制御方法を示す原理説明図
【図８】同じく金型の型締め隙間が異なる場合における加工精度バラツキを説明するための各金型のハッチ省略断面図
【符号の説明】
１２　インストルメントパネル（インパネ）
１６　インパネ表皮
１８　インパネ発泡層
２２　基体蓋体部
２８　基体テアライン溝
３３　表皮テアライン部
３４　表皮真空吸引熱加工用雄型（プラグ：下型）
３６　表皮真空吸引熱加工用雌型（上型）
３８　雌型の真空吸引孔
４０　テアライン形成刃体
４２　テアライン形成刃部（テアライン形成突条）
４４　刃体保持ブロック
４８、４９　変位センサ
５２　シート材（表皮素材）ヒータ
Ｔ　　エアバッグ蓋体部テアライン
Ｍ　　エアバッグ装置
【図１】
2004106592.tif 000003
【図２】
2004106592.tif 000004
【図３】
2004106592.tif 000005
【図４】
2004106592.tif 000006
【図５】
2004106592.tif 000007
【図６】
2004106592.tif 000008
【図７】
2004106592.tif 000009
【図８】
2004106592.tif 000010